(57)【特許請求の範囲】
【請求項１】
保持アーム（１０）に固定された、放物面として、あるいは放物面の一部として形成された反射装置と、反射装置のほぼ焦点内に配置されている人工衛星の信号を受信可能な受信装置とを有する、パラボラアンテナを人工衛星に整合させる方法において、次のステップ、すなわち：
−まず、保持アーム（１０）の人工衛星への整合が、その保持アーム内に配置された最大の人工衛星信号を検出可能な測定装置（４０）を用いて、反射装置が保持アーム（１０）に固定されることなしに、行われ；
−その後、反射装置が保持アーム（１０）に取り外し可能に固定される、
ことを特徴とする方法。
【請求項２】
測定装置（４０）として、受信装置（３０）の受信機を使用することを特徴とする請求項１に記載の方法。
【請求項３】
受信装置（３０）を保持アーム（１０）に固定して、反射装置として保持アームの、放物面として、あるいは放物面の一部として形成された部分を使用することを特徴とする請求項２に記載の方法。
【請求項４】
パラボラアンテナのための保持装置であって、
保持アーム（１０）と、保持アーム（１０）上に配置されたパラボラアンテナを取り付けるための固定部材（２０）と、受信装置（３０）を具備し、
保持アーム（１０）には人工衛星信号を検出するための測定装置（４０）が内蔵されており、
前記固定部材（２０）にパラボラアンテナを工具を使用せずに取り外し可能に取り付けることができる、
ことを特徴とするパラボラアンテナのための保持装置。
【請求項５】
保持アーム（１０）の、測定装置（４０）の領域が、放物面形状または放物面の一部として形成されていることを特徴とする請求項４に記載の保持装置。
【請求項６】
測定装置（４０）が、チップ上に一体化されていることを特徴とする請求項４または５に記載の保持装置。
【請求項７】
太陽電池（４２）が保持アーム（１０）に設けられており、前記太陽電池が測定装置（４０）にエネルギを供給することを特徴とする請求項４または５のいずれか１項に記載の保持装置。
【請求項８】
測定装置（４０）が、受信装置（３０）であることを特徴とする請求項４から６のいずれか１項に記載の保持装置。
【請求項９】
固定部材がレール（２０）であって、前記レール内へ、パラボラアンテナの後ろ側に配置された滑り部材が嵌入することを特徴とする請求項４から６のいずれか１項に記載の保持装置。
【発明の詳細な説明】
【０００１】
本発明は、請求項１と３の上位概念に記載された、保持アームに配置されたパラボラアンテナを調整する方法およびパラボラアンテナ用の保持装置に関する。
【０００２】
パラボラアンテナは、その信号を受信すべき、人工衛星に整合されて、建物、支柱などに固定される。その場合に人工衛星の信号への整合は、多くは危険にさらされた位置において、たとえば屋根上、家の壁などにおいて、パラボラアンテナを、受信装置がパラボラアンテナの焦点内に配置された場合に最大の信号が受信されるまでの距離だけ回動させ、かつ傾斜させることにより、行われる。まさに大きめのパラボラアンテナの場合には、この固定方法は手間がかかり、費用がかかり、かつ危険と結びつくことも希ではない。
【０００３】
従って本発明の課題は、保持アームに配置されたパラボラアンテナを調整する方法およびパラボラアンテナのための保持装置を、危険にさらされた、接近しにくい個所においても、できるだけ簡単な取付けとパラボラアンテナの人工衛星への整合を可能にするように、展開することである。
【０００４】
この課題は、この分野に基づく方法のパラボラアンテナのための保持装置において、請求項１と４の特徴によって解決される。
【０００５】
人工衛星信号を検出するための測定装置を保持アームへ組み込むことは、反射装置の固定なしで、保持装置を人工衛星信号に整合させることができる、という大きな利点を有する。反射装置の工具なしの取り外し可能な固定を可能にする、固定部材との組合せにおいて、全人工衛星受信装置を簡単な方法で最大の人工衛星信号に整合させ、かつ固定することができる。特に、パラボラアンテナの面倒な取扱いは必要とされない。
【０００６】
純粋に原理的に、固定アーム内に他の小さい受信装置を設けることが可能であって、その受信装置が固定アームの人工衛星信号への整合を可能にする。しかしまた、さらに、後に反射装置のほぼ焦点内に位置決めすべき受信装置を、固定アームを人工衛星信号に整合できるように、まず固定アームに取付けて、整合後に取り外して、その後反射装置の焦点内に固定することもできる。
【０００７】
また、反射装置の後の焦点内に配置される受信装置を、調整のための測定手段として使用するために、保持アームの一部に放物面形状の面を設けることができる。
【０００８】
好ましい実施形態においては、測定装置はチップ上に統合されており、従って小さい組込み空間しか必要としない。好ましい実施形態においてはさらに、測定装置にエネルギを供給する太陽電池が保持アームに設けられている。このようにして、導線による給電を必要とする、付加的な電流供給を省くことができる。
【０００９】
パラボラアンテナのための固定部材は、好ましくはレールとして形成されており、そのレール内へ、パラボラアンテナの後ろ側に配置された滑り部材が嵌入する。パラボラアンテナは、このようにして、スライドさせることにより取付け、また取り外すことができる。それによってまた、たとえば他のデザインのパラボラアンテナと交換するために、パラボラアンテナの容易な交換が可能である。
【００１０】
本発明の他の特徴と利点は、実施例の以下の説明と図面表示の対象である。
【００１１】
パラボラアンテナのための保持装置は、保持アーム１０を有しており、その保持アームに、放物面としてまたは放物面の一部として形成された反射装置（図示せず）が固定可能である。保持アーム１０には固定部材２０が配置されており、その固定部材はたとえば、図示のように、レールとして形成されており、そのレール内へ、反射装置の後ろ側に固定された、反射装置を固定するための滑り部材を挿入することができる（図示せず）。保持アーム１０にはさらに、人工衛星信号のための受信機を有する受信装置３０が、たとえば保持アーム１０に設けられた開口部１２内へ挿入することにより、固定可能である。
【００１２】
図では歪んで示されている受信装置３０は、反射装置の取付け後にほぼその焦点内へ配置される。受信装置は、反射装置により反射されて、合焦された人工衛星信号を受信する。
【００１３】
保持アーム１０は、たとえば支柱ホルダ１４に固定される。図から明らかなように、保持アームを固定するための支柱ホルダ１４は、孔１５と長穴１６を有しているので、保持アーム１０はその傾斜を調節可能である。支柱ホルダ１４自体は、棒状の支柱に回動可能に配置されているので、反射装置を人工衛星に整合させることが可能である。保持アーム１０には測定装置４０が内蔵されており、その測定装置は保持アーム１０を最大の人工衛星信号に整合させることを可能にする。その場合に測定装置４０は、測定装置４０において最大の人工衛星受信信号が検出された場合に、それが後に固定すべきパラボラアンテナにおいても生じるように、保持アーム１０に内蔵されている。
【００１４】
測定装置４０は、別の表現では、保持アーム１０が最大の人工衛星受信信号に整合されている場合に、それが反射装置の固定においても発生するように、配置されている。この測定装置４０は、人工衛星信号のための付加的な小さい測定装置とすることができる。しかしさらに、受信装置３０の一部である受信機も、保持アームを調整するためにこの保持アーム内へ内蔵して、調整が行われた後に初めて、再び受信装置３０へ組み込むこともできる。この場合には、保持アーム１０の一部は放物面あるいは放物面の一部として形成することができ、それによってある意味で、保持アームの調整のための小型化された反射装置となる。
【００１５】
保持アーム１０にはさらに、太陽電池４２が配置されており、その太陽電池は測定装置４０にエネルギを供給する。このようにして給電線を省くことができる。
【００１６】
保持装置と反射装置の固定は、次のように行われる：
まず、保持アーム１０が支柱ホルダ１４に取付けられて、測定装置４０を用いて最大の人工衛星受信信号に整合され、
その後、保持アーム１０が支柱ホルダに、そしてこの支柱ホルダが支柱に固定され、
その後、反射装置が保持レール２０へ挿入されることによって、固定される。
【００１７】
上述した、パラボラアンテナのための保持装置は、常に反射装置と一緒に最大の人工衛星受信信号に整合されなければならない、従来技術から知られた保持装置よりも、ずっと良好かつ簡単に取付けることができる、という大きな利点を有するだけではない。さらに、反射装置を工具なしで固定することによって、放物面状の、あるいは他のデザインの反射装置の容易な交換が容易に可能である。これは、特に宣伝目的のために、しかしまた新しい条件、たとえば建物においては変更されたファサード色、変更された屋根の色などに適合させるためにも、好ましいことである。
【図面の簡単な説明】
【図１】  本発明により使用される保持装置の実施例を、概略的に示す図である。
【図１】
0004312982.tif 000002